(57)【特許請求の範囲】
【請求項１】
底部と、箱型に組み立てられた状態から、先ず最初に、前記底部に重なるように倒される短側壁と、次いで、先に倒された前記短側壁に重なるように倒される長側壁とからなる折り畳みコンテナーの底部において、底板と、前記長側壁がヒンジ結合される相対する長辺部と、該長辺部より高さが低く、且つ、前記短側壁がヒンジ結合される相対する短辺部とを有する前記底部の前記長辺部を、内壁と水平壁と外壁とからなる二重構造部に形成するとともに、前記短辺部より高さの高い長辺部の二重構造部を構成する前記外壁の外面には、前記外壁の肉厚を部分的に薄くすることにより、印刷及びラベル貼付用の凹部が形成されていることを特徴とする合成樹脂で一体成形された折り畳みコンテナーの底部。
【請求項２】
底板と、長側壁がヒンジ結合される相対する長辺部と、該長辺部より高さが低く、且つ、短側壁がヒンジ結合される相対する短辺部とを有する底部の前記長辺部を、内壁と水平壁と外壁とからなる二重構造部に成形するとともに、前記短辺部より高さの高い長辺部の二重構造部を構成する前記外壁の外面には、前記外壁の肉厚を部分的に薄くすることにより、印刷及びラベル貼付用の凹部が成形されている折り畳みコンテナーの底部を、射出成形により合成樹脂で一体成形するための底部成形用金型構造であって、前記短辺部より高さの高い長辺部の二重構造部の二重壁内部空間を成形するための凸状部の上部側面には、前記二重構造部を構成する外壁を成形するための金型面の上部から水平方向に突出している水平突部が当接するように構成されていることを特徴とする請求項１に記載の折り畳みコンテナーの底部成形用金型構造。
【発明の詳細な説明】
【０００１】
【発明の属する技術分野】
本発明は、底部を囲むように配設された４つの側壁が、底部に重なるように折り畳むことができる折り畳みコンテナーの底部及び底部成形用金型構造に関するものである。
【０００２】
【従来の技術】
従来，長方形の底部の相対する長辺部に、適当なヒンジ結合により連結された長側壁と、同じく上記底部の相対する短辺部に、適当なヒンジ結合により連結された短側壁とからなる折り畳みコンテナーが知られており（例えば、特開平８−３１８９３９号公報等）、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型のコンテナーに組み立てるように構成されている。
【０００３】
【発明が解決しようとする課題】
上述した従来の折り畳みコンテナーにおいては、短側壁や長側壁にカード差しやラベル貼付部が設けられており、短側壁や長側壁を折り畳んだ折り畳みコンテナーの折り畳み状態においては、カードやラベルを貼付することができないという問題があった。
【０００４】
また、折り畳みコンテナーの側壁が、ヒンジを介して取り付けられる底部の立ち上がり部の高さが高いような場合には、このような高い立ち上がり部を成形するための金型部分の強度が弱く、金型が損傷する等の問題があった。
【０００５】
本発明の目的は、上述した従来の折り畳みコンテナーの底部及び底部成形用金型構造が有する課題を解決することにある。
【０００６】
【課題を解決するための手段】
本発明は、上述した目的を達成するために、第１には、底部と、箱型に組み立てられた状態から、先ず最初に、前記底部に重なるように倒される短側壁と、次いで、先に倒された前記短側壁に重なるように倒される長側壁とからなる折り畳みコンテナーの底部において、底板と、前記長側壁がヒンジ結合される相対する長辺部と、該長辺部より高さが低く、且つ、前記短側壁がヒンジ結合される相対する短辺部とを有する前記底部の前記長辺部を、内壁と水平壁と外壁とからなる二重構造部に形成するとともに、前記短辺部より高さの高い長辺部の二重構造部を構成する前記外壁の外面に、前記外壁の肉厚を部分的に薄くすることにより、印刷及びラベル貼付用の凹部を形成したものであり、第２には、底板と、長側壁がヒンジ結合される相対する長辺部と、該長辺部より高さが低く、且つ、短側壁がヒンジ結合される相対する短辺部とを有する底部の前記長辺部を、内壁と水平壁と外壁とからなる二重構造部に成形するとともに、前記短辺部より高さの高い長辺部の二重構造部を構成する前記外壁の外面には、前記外壁の肉厚を部分的に薄くすることにより、印刷及びラベル貼付用の凹部が成形されている折り畳みコンテナーの底部を、射出成形により合成樹脂で一体成形するための底部成形用金型構造であって、前記短辺部より高さの高い長辺部の二重構造部の二重壁内部空間を成形するための凸状部の上部側面に、前記二重構造部を構成する外壁を成形するための金型面の上部から水平方向に突出している水平突部を当接されるようにしたものである。
【０００７】
【実施例】
以下に、本発明の実施例について説明するが、本発明の趣旨を越えない限り何ら、本実施例に限定されるものでない。
【０００８】
１は、射出成型機を用いて、合成樹脂で一体に成形された、平面形状が長方形状の底部であり、底部１には、適当なヒンジ結合を介して、相対するように、長側壁２が連結されており、また、同様に、適当なヒンジ結合を介して、相対するように、短側壁３が連結されている。長側壁２及び短側壁３も、射出成型機を用いて、合成樹脂で一体に成形される。
【０００９】
図１に示されているように、箱型に組み立てられた状態の折り畳みコンテナーを折り畳むには、先ず最初に、短側壁３を折り畳みコンテナーの内側に倒して、図２に示されているように、底部１の上に重ねる。次いで、同じく、長側壁２を折り畳みコンテナーの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーを箱型に組み立てる。
【００１０】
長側壁２の下端の直ぐ上方には、外側に水平方向に延在する下部水平リブ２ａが形成されており、下部水平リブ２ａの下面２ａ’と、長側壁２の外面２ｂとにより形成される隅部には、必要に応じて、所定間隔で、垂直リブ２ｃが形成されており、この垂直リブ２ｃは、その先端が、下部水平リブ２ａの内側に位置するように構成されている。
【００１１】
底部１は、下面に縦横に走る補強リブ１ａ’が垂設された底板１ａと、長辺部１ｂと、長辺部１ｂに比べて高さの低い短辺部１ｃとから構成されている。そして、長辺部１ｂは、底板１ａの長辺部１ｂ側の縁から上方に、略垂直状に延在する内壁１ｄと、内壁１ｄの上端から外側に延在する水平壁１ｅと、水平壁１ｅの端部から、上記の内側壁１ｄの途中まで下方に、ほぼ垂直状に延在する外壁１ｆとを有しており、長辺部１ｂは、内壁１ｄと水平壁１ｅと外壁１ｆとにより、二重構造部Ｗとして構成されている。また、内壁１ｄと水平壁１ｅと外壁１ｆとにより囲まれた二重壁内部空間１ｇには、該二重壁内部空間１ｇを、長辺部１ｂの長さ方向に亘たって、適当数の空間に仕切るために仕切りリブ１ｈが形成されている。
【００１２】
また、必要に応じて、底部１の二重構造部Ｗを構成する水平壁１ｅの上面には、長辺部１ｂの両端部を除いて、垂直な突条部１ｉが突設されている。この突条部１ｉには、折り畳みコンテナーが箱型に組み立てられた際に、上述した長側壁２の下部水平リブ２ａと外面２ｂとの隅部に形成された垂直リブ２ｃが当接するように構成されている。折り畳みコンテナーの組み立て作業の際に、長側壁２の垂直リブ２ｃが、底部１の二重構造部Ｗを構成する水平壁１ｅの上面に形成された突条部１ｉに当接することにより、長側壁２がそれ以上、外側に回動しないので、底部１と長側壁２とを結合するヒンジが損傷したりするのが防止できる。また、折り畳みコンテナーが箱型に組み立てられた際に、長側壁２の下部水平リブ２ａの下面２ａ’が、底部１の二重構造部Ｗを構成する水平壁１ｅ上に形成された突条部１ｉの上端１ｉ’に載置されるように構成されているので、長側壁２に、上方から負荷がかかっても、この負荷が、底部１の突条部１ｉと、突条部１ｉに載置された長側壁２の下部水平リブ２ａにかかり、底部１と長側壁２とを結合するヒンジにかからないので、従って、底部１と長側壁２とを結合するヒンジが損傷するようなことが防止できる。
【００１３】
４は、底部１の二重構造部Ｗを構成する外壁１ｆの上部に穿設された、適当数の水平状の水抜き孔であり、また、５は、水抜き孔４の下方に位置する外壁１ｆの外面に形成された、印刷及びラベル貼付用凹部であり、外壁１ｆの長さ方向のほぼ全域に亘たって形成されている。このように、底部１の二重構造部Ｗを構成する外壁１ｆに水抜き孔４を形成することにより、折り畳まれた状態の折り畳みコンテナーの二重構造部Ｗの二重壁内部空間１ｇに、雨水や洗浄水等が溜まっても、雨水や洗浄水等が、外壁１ｆに形成された水抜き孔４から排出されることになる。上述したように、二重壁内部空間１ｇは、仕切りリブ１ｈにより、複数の空間に仕切られているので、仕切りリブ１ｈにより仕切られた各空間毎に、少なくとも１つの水抜き孔４が形成されることになる。
【００１４】
また、短側壁や長側壁に、ラベル貼付部やカード差しを配設した上に、更に、底部１の二重構造部Ｗを構成する外壁１ｆの外面に、印刷及びラベル貼付用凹部５が形成されているので、折り畳みコンテナー内に収容されている物品の種類や行き先等の種々の情報の識別が、より容易に、且つ、確実になる。
【００１５】
更に、折り畳みコンテナーの大きさが異なると、換言すれば、長側壁２や短側壁３の大きさが異なると、長側壁２や短側壁３に設けられたラベル貼付部やカード差しの位置が大きく異なる場合があるが、折り畳みコンテナーの大きさが異なっても、底部１の外壁１ｆの位置、特に、その高さは、大きく異なることはない。従って、ベルトコンベヤー等の搬送装置により搬送されている途中で、搬送装置付近に配設された読取機の読み取りセンサーにより、底部１の外壁１ｆの外面に形成された印刷及びラベル貼付用凹部５に、印刷或いは貼付されたラベルを読み取るようにすれば、折り畳みコンテナーの大きさが異なっても、印刷及びラベル貼付用凹部５の位置は、大きく異なることはないので、読取機による折り畳みコンテナー内に収容されている物品の種類や行き先等の種々の情報の読み取りが、正確に、且つ、確実に行われることになる。従って、ラベル貼付部の位置が異なるために、読み取りが失敗するというようなことが防止できるとともに、折り畳みコンテナーの大きさにより、読取機の読み取りセンサーの位置を変更する必要もない。
【００１６】
次に、図５を用いて、底部１の二重構造部Ｗを射出成形する際の金型構造等について説明する。
【００１７】
Ｍは、固定金型であり、固定金型Ｍは、底板１ａの上面を形成する面ｍ１、内壁１ｄの内面を形成する面ｍ２、水平壁１ｅの突条部１ｉより内側に位置する部分を形成する面ｍ３及び突条部１ｉの上端１ｉ’と内側に位置する部分を形成する面ｍ４とを有している。Ｎは、固定金型Ｍの下方に配置される下動金型であり、下動金型Ｎは、底部１の底板１ａの補強リブ１ａ’が垂下された下面を形成する面ｎ１、内壁１ｄの外面を形成する面ｎ２、水平壁１ｅの下面を形成する面ｎ３及び外壁１ｆの内面を形成する面ｎ４とを有しており、下動金型Ｎには、二重壁内部空間１ｇを形成するための凸状部Ｎ’が形成されている。Ｐは、水平移動金型であり、水平移動金型Ｐは、突条部１ｉの外面を形成する面ｐ１、水平壁１ｅの突条部１ｉより外側に位置する部分を形成する面ｐ２及び外壁１ｆの外面を形成する面ｐ３とを有しており、且つ、水平移動金型Ｐの外壁１ｆの外面を形成する面ｐ３の上部からは、円柱や角柱や角錐台や円錐台等からなる水平方向に突出する水平突部Ｐ’が形成されており、この水平突部Ｐ’の端面は、上記の下動金型Ｎに形成された凸状部Ｎ’の上部側面に当接している。
【００１８】
上述した固定金型Ｍ、下動金型Ｎ及び水平移動金型Ｐにより囲まれた金型空間Ｓに、固定金型Ｍに形成された湯道Ｍ’を通じて、溶融樹脂を流し込むことにより、図４に示されているような底部１の長辺部１ｂが成形されることになる。
【００１９】
ところで、上述した実施例においては、水平移動金型Ｐの外壁１ｆの外面を形成する面ｐ３の上部から、水平突部Ｐ’が突出しており、この水平突部Ｐ’の端面が、下動金型Ｎの二重壁内部空間１ｇを形成するための凸状部Ｎ’の上部側面に当接しているように構成されているので、湯道Ｍ’を通じて、金型空間Ｓに溶融樹脂が注入されて、注入された溶融樹脂の圧力が、凸状部Ｎ’に加わっても、凸状部Ｎ’は、水平移動金型Ｐに形成された水平突部Ｐ’に支持されているので、図５において、左方向に傾動するようなことがなく、従って、水平移動金型Ｐの外壁１ｆの外面を形成する面ｐ３と、下動金型Ｎの外壁１ｆの内面を形成する面ｎ４との間隔が、常に、一定に保持されるので、底部１の二重構造部Ｗを構成する内壁１ｄと外壁１ｆの肉厚が、一定になり、従って、底部１を構成する長辺部１ｂに、強度的に弱い薄肉部が形成されるようなことが防止できる。
【００２０】
図６に示されている実施例は、上述した水平突部Ｐ’に代えて、下動金型Ｎの凸状部Ｎ’の上面に垂直突部Ｎ”を突設するとともに、垂直突部Ｎ”を、固定金型Ｍの水平壁１ｅの突条部１ｉより内側に位置する部分を形成する面ｍ３に設けられた嵌合凹部Ｍ”に嵌合したものである。このように構成することにより、上述したと同様に、湯道Ｍ’から金型空間Ｓに注入される溶融樹脂の圧力による下動金型Ｎの凸状部Ｎ’の傾動を防止するができる。この場合には、上述した水平状の水抜き孔４に代わって、図７に示されているように、水平壁１ｅに垂直な水抜き孔６が形成されることになる。
【００２１】
上述したように、水平移動金型Ｐに水平突部Ｐ’や下動金型Ｎの凸状部Ｎ’に垂直突部Ｎ”を形成して、湯道Ｍ’から金型空間Ｓに注入される溶融樹脂の圧力による下動金型Ｎの凸状部Ｎ’の傾動を防止するように構成することは、外壁１ｆに、印刷及びラベル貼付用凹部５を設けたために、外壁１ｆの肉厚が薄くなった場合に、特に、有効である。印刷及びラベル貼付用凹部５を設けたために、外壁１ｆの肉厚が薄くなった場合に、湯道Ｍ’から金型空間Ｓに注入される溶融樹脂の圧力による下動金型Ｎが傾動し、外壁１ｆに、より薄い肉厚部分が形成されると、底部１の強度が更に低下し、底部１が損傷する可能性が更に高くなることになる。また、外壁１ｆの肉厚を変えることなく、下動金型Ｎの凸状部Ｎ’の肉厚を、薄くした場合には、金型空間Ｓに注入される溶融樹脂の圧力により、下動金型Ｎがより傾動し易くなるので、上記のような水平移動金型Ｐに水平突部Ｐ’や下動金型Ｎの凸状部Ｎ’に垂直突部Ｎ”を形成することは、下動金型Ｎの凸状部Ｎ’に傾動防止に、特に、有効である。
【００２２】
なお、必要に応じて、水平移動金型Ｐに水平突部Ｐ’を形成するとともに、下動金型Ｎの凸状部Ｎ’にも垂直突部Ｎ”を形成することができる。この場合には、外壁１ｆ及び水平壁１ｅに、それぞれ、水平な水抜き孔４と垂直な水抜き孔６とが形成されることになる。
【００２３】
【発明の効果】
本発明は、以上説明した構成を有しているので、以下に記載する効果を奏するものである。
【００２４】
底部の二重構造部を構成する外壁の外面に、印刷及びラベル貼付用凹部を形成したので、折り畳みコンテナー内に収容されている物品の種類や行き先等の種々の情報の識別が、より容易に、且つ、確実になる。
【００２５】
底部の二重構造部を構成する外壁の外面に、印刷及びラベル貼付用凹部を形成したので、読取機による印刷及びラベルの読み取りを、正確に、且つ、確実に行うことができる。
【００２６】
湯道から金型空間に注入される溶融樹脂の圧力による下動金型Ｎの凸状部の傾動を防止するができるので、底部の二重構造部を構成する内壁と外壁の肉厚が、一定になり、従って、底部を構成する長辺部に、強度的に弱い薄肉部が形成されるようなことが防止できる。
【００２７】
下動金型の凸状部の肉厚を薄くした場合においても、水平移動金型に水平突部や下動金型の凸状部に垂直突部を形成することにより、湯道から金型空間に注入される溶融樹脂の圧力による下動金型Ｎの凸状部の傾動を防止するができるので、底部の二重構造部を構成する内壁と外壁の肉厚が、一定になり、従って、底部を構成する長辺部に、強度的に弱い薄肉部が形成されるようなことが防止できる。
【図面の簡単な説明】
【図１】図１は本発明の底部を有する折り畳みコンテナーの組み立てられた状態の斜視図である。
【図２】図２は本発明の底部を有する折り畳みコンテナーの折り畳み途中の斜視図である。
【図３】図３は本発明の底部を有する折り畳みコンテナーの折り畳まれた状態の斜視図である。
【図４】図４は長辺部の長手方向に垂直な本発明の折り畳みコンテナーの底部の長辺部の垂直断面図である。
【図５】図５は本発明の折り畳みコンテナーの底部の長辺部を成形するための底部成形用金型構造の垂直断面図である。
【図６】図６は本発明の折り畳みコンテナーの底部の長辺部を成形するための別の実施例の底部成形用金型構造の垂直断面図である。
【図７】図７は図４と同様の長辺部の長手方向に垂直な本発明の折り畳みコンテナーの底部の長辺部の垂直断面図である。
【符号の説明】
Ｍ、Ｎ、Ｐ・・・・金型
Ｗ・・・・・・・・二重構造部
１・・・・・・・・底部
１ｂ・・・・・・・長辺部
１ｄ・・・・・・・内壁
１ｅ・・・・・・・水平壁
１ｆ・・・・・・・外壁
１ｇ・・・・・・・二重壁内部空間
２・・・・・・・・長側壁
３・・・・・・・・短側壁
５・・・・・・・・印刷及びラベル貼付用凹部
４、６・・・・・・水抜き孔
【図１】
0003730819.tif 000002
【図２】
0003730819.tif 000003
【図３】
0003730819.tif 000004
【図４】
0003730819.tif 000005
【図５】
0003730819.tif 000006
【図６】
0003730819.tif 000007
【図７】
0003730819.tif 000008